(57)【特許請求の範囲】
【請求項１】
地上ディジタルテレビジョン放送信号に含まれるＴＭＣＣ信号を復調し、ＴＭＣＣ情報を出力するＴＭＣＣ信号受信装置であって、
該放送信号のＲＦ帯の受信信号を変換してＩＦ信号を出力する受信回路と、
前記ＩＦ信号からＴＭＣＣ信号を復調し、前記ＴＭＣＣ信号に含まれるＴＭＣＣ情報を出力するＴＭＣＣ復調回路と、
前記ＩＦ信号からＯＦＤＭ信号のシンボルタイミングを再生し、シンボル同期信号を生成して出力するシンボル同期再生回路と、
前記ＴＭＣＣ情報からフレームタイミングを再生し、フレーム同期信号を生成して出力するフレーム同期再生回路と、
各々の同期信号に基づいて、前記受信回路への電源の供給を制御するための制御信号を生成して出力する制御回路と、
を備え、
前記制御回路は、
前記シンボル同期信号及び前記フレーム同期信号から前記受信信号の同期状態を判定し、該判定結果に基づいて受信モードを選択するための受信モード選択信号を出力する同期判定回路と、
第１の受信モードとして、連続的に前記受信回路を動作させるための制御信号を出力する連続受信モード制御信号生成回路と、
第２の受信モードとして、緊急警報放送用起動フラグを示すシンボルを含む所定のシンボルに対してのみ間欠的に前記受信回路を動作させるための制御信号を出力するシンボル間引き受信モード制御信号生成回路と、
前記同期判定回路から出力される受信モード選択信号によって、前記連続受信モード制御信号生成回路の制御信号又は前記シンボル間引き受信モード制御信号生成回路の制御信号のうちのいずれか一方を選択し、選択した制御信号を出力するスイッチ回路と、
を有し、
前記同期判定回路は、該判定結果として同期外れを検出した場合には、同期を確立するまで第１の受信モードを選択するための受信モード選択信号を出力し、同期を確立した後、第２の受信モードを選択するための受信モード選択信号を出力し、
前記シンボル間引き受信モード制御信号生成回路は、数フレーム毎に、緊急警報放送用起動フラグ及びＴＭＣＣの同期信号を示すシンボルを含む所定のシンボルに対してのみ間欠的に前記受信回路を動作させるための制御信号を出力し、残りのフレームでは、緊急警報放送用起動フラグを示すシンボルに対してのみ間欠的に前記受信回路を動作させるための制御信号を出力することを特徴とするＴＭＣＣ信号受信装置。
【発明の詳細な説明】
【技術分野】
【０００１】
本発明は、地上ディジタルテレビジョン放送受信機に関し、特にＩＳＤＢ−Ｔ方式の地上ディジタルテレビジョン放送のＴＭＣＣ信号受信装置に関するものである。
【背景技術】
【０００２】
地上ディジタルテレビジョン放送伝送方式であるＩＳＤＢ−Ｔ（Ｉｎｔｅｇｒａｔｅｄ Ｓｅｒｖｉｃｅｓ  Ｄｉｇｉｔａｌ Ｂｒｏａｄｃａｓｔｉｎｇ−Ｔｅｒｒｅｓｔｒｉａｌ）では、受信機の復調・復号処理を補助するための制御情報として、ＴＭＣＣ（Ｔｒａｎｓｍｉｓｓｉｏｎ ａｎｄ  Ｍｕｌｔｉｐｌｅｘｉｎｇ Ｃｏｎｆｉｇｕｒａｔｉｏｎ  Ｃｏｎｔｒｏｌ）信号を特定のキャリアを用いて伝送している。そのＴＭＣＣ信号におけるビット割り当てと、伝送するＴＭＣＣ情報の内容を図１に示す。ＴＭＣＣ信号は、図１に示すように、先頭のビットＢ０が差動復調の基準であり、ビットＢ１〜Ｂ１６がフレーム同期信号、ビットＢ１７〜Ｂ１９がセグメント形式識別、ビットＢ２０〜Ｂ１２１が伝送パラメータなどのＴＭＣＣ情報、ビットＢ１２２〜Ｂ２０３が誤り訂正用パリティビットである。即ち、ＴＭＣＣ信号は、２０４ビットで構成され、１シンボルで１ビット、１フレームで２０４ビットが伝送されることになり、毎フレーム繰り返し伝送されている。
【０００３】
ＴＭＣＣ信号受信装置、又はＴＭＣＣ信号受信装置を備える地上ディジタル放送受信機において、このＴＭＣＣ信号の特定のビット（ＴＭＣＣ情報）を低消費電力で受信する従来技術として、フレーム内間欠受信及びフレーム間間欠受信が知られている（例えば、特許文献１参照）。
【０００４】
フレーム内間欠受信処理のタイミング例を図２に示す。この例では、所望のＴＭＣＣ情報を、Ｂ２６に割り当てられた緊急警報放送用起動フラグ（以下、ＥＷＳ信号と称する。）としている。フレームの先頭シンボル付近でＴＭＣＣ信号受信装置の受信回路を起動して、Ｂ２６のＥＷＳ信号までの合計２７シンボル期間にＴＭＣＣ信号を受信し、Ｂ２７の以降のシンボルに対しては受信回路を停止する。受信回路の起動、停止の制御は受信回路全体に対して実施しても良いし、消費電力の大きい受信回路内の一部の回路を起動したり、停止してもよい。これにより、１フレーム期間に全てのシンボルを受信する場合と比較してＴＭＣＣ信号受信装置の消費電力を低減することができる。
【０００５】
一方、フレーム間間欠受信は、前述のＥＷＳ信号のシンボル以降、数フレーム期間、受信回路を起動せずに、ＴＭＣＣ信号を受信しないようにする間欠受信処理である（例えば、特許文献１参照）。
【０００６】
前述したフレーム内間欠受信処理及びフレーム間間欠受信処理を併用した間欠受信のタイミング例を図３に示す。このように、或る１フレームに対してはフレームの先頭から２７シンボル期間だけ受信回路を起動して受信し、それ以降のシンボル期間とｎ×フレーム期間（ｎは正数）については受信回路を停止したままの非受信回路を設けることで受信回路の消費電力を大幅に低減することができる。
【０００７】
【特許文献１】特開２００６−３１９７７１号公報
【発明の開示】
【発明が解決しようとする課題】
【０００８】
ＩＳＤＢ−Ｔ方式の地上ディジタル放送受信において、バッテリーで駆動する携帯端末などで緊急警報放送による自動起動を実現するには、バッテリーの消耗により携帯端末の通話時間や待受時間に与える影響を考慮すると、所望のシンボル（例えばＴＭＣＣ信号に含まれる緊急警報放送用起動フラグのＥＷＳ信号）を可能な限り低消費電力で監視する必要がある。
【０００９】
従来のＴＭＣＣ信号受信装置では、前述したように、受信回路の消費電力を低く抑えるためにフレーム内間欠受信処理する手法が提案されている。即ち、フレーム内間欠受信処理とは、ＴＭＣＣ信号の先頭、即ちＯＦＤＭフレーム（以下、単にフレームと称する。）の先頭からＥＷＳ信号が伝送されるＯＦＤＭシンボル（以下、単にシンボルと称する。）までの期間のみを受信する方法である。また、フレーム間間欠受信処理とは、受信するフレーム期間をフレーム単位で間引いて受信する方法である。
【００１０】
図２に示すように、地上ディジタルテレビジョン放送の送信モードがモード３でガードインターバル比（ＧＩ比）１／８の場合、１フレームは２３１．３３６ｍｓｅｃである。フレーム内間欠受信では、従来のＴＭＣＣ信号受信装置における受信回路に電源を供給する継続時間は、例えば３０．６１８ｍｓｅｃ（２７シンボル分）として、ＴＭＣＣ信号のフレームの先頭から受信回路の電源を投入し、所望のシンボル（例えばＥＷＳ信号）が受信された時点で電源を遮断する。従って、ＥＷＳ信号を受信するには最低１フレーム以上を必要としている。また、図３に示すように、フレーム間間欠受信では受信回路の電源投入タイミングはフレームの先頭とし、オン／オフ間隔はＮフレーム（Ｎは自然数）となる。尚、フレーム間間欠受信では受信回路の電源投入タイミングの制約はなく、オン／オフ間隔は所定値（例えば１０秒間隔）とできる。
【００１１】
しかしながら、フレーム内間欠受信では、受信する各フレームにおいて、先頭から所望のシンボルまでの期間（ＥＷＳ信号を受信する場合は計２７シンボル期間）で毎回受信回路を起動しており、緊急警報放送による受信端末の自動起動等を実現するには、ＴＭＣＣ信号を監視する受信回路の低消費電力化が十分でないという問題がある。更に、フレーム内間欠受信処理にフレーム間間欠受信処理を併用したとしても、所望のシンボルの信号検出までに時間を要し、更なる改善の余地がある。
【００１２】
更に、間欠受信を継続する際に、受信状況によってはシンボル同期やフレーム同期が外れることがあり、その後の再同期ができず、所望のシンボルを間欠受信することができなくなるという問題もある。
【００１３】
本発明の目的は、所望のシンボルを低消費電力で監視するとともに、監視したシンボルの検出時間の短縮化を図り、同期外れによる継続的な受信不可となる状況を回避するＴＭＣＣ信号受信装置を提供することにある。
【課題を解決するための手段】
【００１４】
本発明のＴＭＣＣ信号受信装置において、受信回路の更なる低消費電力化を実現するために、シンボルに同期したシンボル同期信号と、フレームに同期したフレーム同期信号を生成し、それらの同期信号を参照して、所望のシンボルにタイミングを合わせて受信回路に電源を供給して起動し、それ以降のシンボルに対しては受信回路に供給する電源を遮断することで受信回路を停止させる。このようにして、１フレームあたり最小で１シンボル期間のみ受信する。
【００１５】
即ち、本発明のＴＭＣＣ信号受信装置は、地上ディジタルテレビジョン放送信号に含まれるＴＭＣＣ信号を復調し、ＴＭＣＣ情報を出力するＴＭＣＣ信号受信装置であって、該放送信号のＲＦ帯の受信信号を変換してＩＦ信号を出力する受信回路と、前記ＩＦ信号からＴＭＣＣ信号を復調し、前記ＴＭＣＣ信号に含まれるＴＭＣＣ情報を出力するＴＭＣＣ復調回路と、前記ＩＦ信号からＯＦＤＭ信号のシンボルタイミングを再生し、シンボル同期信号を生成して出力するシンボル同期再生回路と、前記ＴＭＣＣ情報からフレームタイミングを再生し、フレーム同期信号を生成して出力するフレーム同期再生回路と、各々の同期信号に基づいて、前記受信回路への電源の供給を制御するための制御信号を生成して出力する制御回路と、を備え、前記制御回路は、前記シンボル同期信号及び前記フレーム同期信号から前記受信信号の同期状態を判定し、該判定結果に基づいて受信モードを選択するための受信モード選択信号を出力する同期判定回路と、第１の受信モードとして、連続的に前記受信回路を動作させるための制御信号を出力する連続受信モード制御信号生成回路と、第２の受信モードとして、緊急警報放送用起動フラグを示すシンボルを含む所定のシンボルに対してのみ間欠的に前記受信回路を動作させるための制御信号を出力するシンボル間引き受信モード制御信号生成回路と、前記同期判定回路から出力される受信モード選択信号によって、前記連続受信モード制御信号生成回路の制御信号又は前記シンボル間引き受信モード制御信号生成回路の制御信号のうちのいずれか一方を選択し、選択した制御信号を出力するスイッチ回路と、を有し、前記同期判定回路は、該判定結果として同期外れを検出した場合には、同期を確立するまで第１の受信モードを選択するための受信モード選択信号を出力し、同期を確立した後、第２の受信モードを選択するための受信モード選択信号を出力し、前記シンボル間引き受信モード制御信号生成回路は、数フレーム毎に、緊急警報放送用起動フラグ及びＴＭＣＣの同期信号を示すシンボルを含む所定のシンボルに対してのみ間欠的に前記受信回路を動作させるための制御信号を出力し、残りのフレームでは、緊急警報放送用起動フラグを示すシンボルに対してのみ間欠的に前記受信回路を動作させるための制御信号を出力することを特徴とする。
【発明の効果】
【００１７】
本発明のＴＭＣＣ信号受信装置によれば、制御回路から出力される制御信号に基づいて受信回路を駆動する電源を制御するため、ＥＷＳ信号を低消費電力で監視するとともに、ＥＷＳ信号検出時間の短縮化を図ることができる。
【００１８】
更に、本発明のＴＭＣＣ信号受信装置によれば、制御回路に同期判定回路を具備させることで、同期外れによる継続的な受信不可となる状況を回避して、再同期することが可能となる。
【発明を実施するための最良の形態】
【００１９】
まず、本発明による実施例１のＴＭＣＣ信号受信装置を説明する。
【００２０】
（実施例１）
本発明の理解を容易にするために、ＴＭＣＣ情報のＢ２６に割り当てられている緊急警報放送用起動フラグ（ＥＷＳ信号）が伝送されるシンボル部分を所望のシンボルとして説明する。ＥＷＳ信号は、通常「０」であるが、大規模地震の警戒宣言や津波警報等が発令した際に、緊急警報放送が開始されるとともに「１」に変化し、放送継続中は常に「１」である。
【００２１】
図４に、本発明による実施例１のＴＭＣＣ信号受信装置のブロック図を示す。実施例１のＴＭＣＣ信号受信装置１は、ＩＳＤＢ−Ｔ方式の地上ディジタルテレビジョン放送信号に含まれるＴＭＣＣ信号を受信して復調し、ＴＭＣＣ情報を出力する装置である。ＴＭＣＣ信号受信装置１は、受信アンテナ１０、受信回路１１、ＴＭＣＣ復調回路１２、シンボル同期再生回路１３、フレーム同期再生回路１４、制御回路１５、電源スイッチ１６及び電源１７を備える。
【００２２】
受信回路１１は、受信アンテナ１０を経て受信した該放送信号の無線周波数（ＲＦ）帯の受信信号を中間周波数（ＩＦ）信号に変換して出力する。
【００２３】
ＴＭＣＣ復調回路１２は、受信回路１１からＩＦ信号を入力し、ＩＦ信号からＴＭＣＣ信号を復調し、ＴＭＣＣ信号に含まれるＴＭＣＣ情報を出力する。尚、ＴＭＣＣ信号を復調する方法、及びＴＭＣＣ信号に含まれるＴＭＣＣ情報を抽出する方法は、既知の如何なる手法を用いることができる。尚、ＴＭＣＣ復調回路１２は、既知の方法でシンボル同期及びフレーム同期の双方を確立し、ＴＭＣＣ信号を復調する機能を有する。
【００２４】
シンボル同期再生回路１３は、受信回路１１からＩＦ信号を入力し、ＩＦ信号からＯＦＤＭ信号のシンボルタイミングを再生し、シンボル同期信号を生成して出力する。即ち、シンボル同期信号は、ＯＦＤＭ信号のＯＦＤＭシンボルにタイミングを合わせた信号である。例えば、ＯＦＤＭ信号のシンボルタイミングの再生には、ＩＦ信号からの同相直交成分（Ｉ，Ｑ信号）と、それらを有効シンボル長分遅延させた同相直交成分（Ｉ’，Ｑ’信号）との相関を利用して、シンボル同期信号を再生する方法がある。尚、シンボル同期信号は、シンボル単位でトリガ発生するパルス信号とでき、シンボル同期再生回路１３は、シンボル同期信号を生成するために、例えばシンボル同期信号より高いもしくは同一の周波数のクロック発生器とカウンタを備え、クロック発生器で発生したクロックをカウンタでカウントし、カウント値がシンボル単位の値となる毎にパルスを発生させ、１フレームの２０４シンボル分をカウントした後に、カウント値をリセットすることを繰り返す。
【００２５】
フレーム同期再生回路１４は、ＴＭＣＣ復調回路１２からＴＭＣＣ情報を入力し、ＴＭＣＣ情報からフレームタイミングを再生し、フレーム同期信号を生成して出力する。例えば、フレームタイミングは、ＴＭＣＣ復調回路１２の出力であるＴＭＣＣ情報の同期信号（ビットＢ１〜Ｂ１６に割り当てられる）を用いて再生する。即ち、フレーム同期信号は、ＯＦＤＭ信号のＯＦＤＭフレームにタイミングを合わせた信号である。尚、フレーム同期信号は、フレーム単位でトリガ発生するパルス信号とでき、フレーム同期再生回路１４は、フレーム同期信号を生成するために、例えばフレーム同期信号より高いもしくは同一の周波数のクロック発生器（好適には、シンボル同期再生回路１３と同一のものを用いる。）とカウンタを備え、クロック発生器で発生したクロックをカウンタでカウントし、カウント値がフレームの先頭の値となる毎にパルスを発生させ、１フレーム毎にカウント値をリセットすることを繰り返す。
【００２６】
制御回路１５は、シンボル同期再生回路１３からシンボル同期信号を入力するとともに、フレーム同期再生回路１４からフレーム同期信号を入力し、各々の同期信号に基づいて、受信回路１１への電源１７の供給を、電源スイッチ１６を介して制御するための制御信号を生成して出力する。制御回路１５は、クロック発生器とカウンタを備え、フレーム同期信号によってフレームの先頭シンボルを検知してカウントを開始し、シンボル同期信号によって所定のカウント後にカウンタをリセットすることにより、電源スイッチ１６をオン／オフ制御するための制御信号を生成する。
【００２７】
従って、ＴＭＣＣ信号受信装置１は、制御回路１５から出力される制御信号に基づいて、受信回路１１を駆動する電源１７の電源供給を制御する。
【００２８】
以下、実施例１のＴＭＣＣ信号受信装置の動作を詳細に説明する。
【００２９】
受信アンテナ１０によって受信したＩＳＤＢ−Ｔ方式の無線周波数（ＲＦ）信号は、受信回路１１に入力される。受信回路１１により、入力されたＲＦ信号は、中間周波数（ＩＦ）信号に周波数変換して出力される。受信回路１１から出力されたＩＦ信号は、ＴＭＣＣ復調回路１２及びシンボル同期再生回路１３に入力される。
【００３０】
ＴＭＣＣ復調回路１２により、入力されたＩＦ信号に含まれるＴＭＣＣ信号成分を抽出して復調し、得られたＴＭＣＣ情報を外部出力するとともに、フレーム同期再生回路１４に出力する。ＴＭＣＣ復調回路１２は、地上ディジタルテレビジョン放送波のＴＭＣＣ信号に含まれるＥＷＳ信号を検出すると、ＯＦＤＭ復調機能を有する地上ディジタルテレビジョン放送チューナを起動させる。地上ディジタルテレビジョン放送受信機（ワンセグ受信機能付携帯電話等を含む）は、ここで初めて緊急警報放送が受信可能な状態になる。
【００３１】
シンボル同期再生回路１３により、受信回路１１から出力されたＩＦ信号を受信して、ＯＦＤＭ信号のシンボルタイミングに同期したシンボル同期信号を生成する。ここで、生成されたシンボル同期信号は制御回路１５に供給される。これにより、制御回路１５は、シンボル単位でカウントすることができるようになる。
【００３２】
フレーム同期再生回路１４により、図１に示すビットＢ１〜Ｂ１６に割り当てられた１６ビットの同期信号を検出し、ＯＦＤＭ信号のフレームタイミングに同期したフレーム同期信号を生成する。ここで、生成されたフレーム同期信号は、シンボル同期信号と同様に制御回路１５に供給される。これにより、制御回路１５に入力されたフレーム同期信号によってフレームの先頭シンボルのタイミングを検知することができる。
【００３３】
制御回路１５により、シンボル同期再生回路１３及びフレーム同期再生回路１４からそれぞれ入力されたシンボル同期信号とフレーム同期信号を基に、フレームの先頭シンボルから所望のＴＭＣＣ情報であるＢ２６のＥＷＳ信号付近（例えば、ＥＷＳ信号のタイミングを合わせるために直前の数シンボル分とすることもできる。）まで受信回路１１を起動するための間欠受信制御信号を生成し、電源スイッチ１６に出力する。
【００３４】
電源スイッチ１６は、間欠受信制御信号に基づいて、電源１７から供給された直流電源（又は交流電源）のオン／オフを行う。つまり、電源スイッチ１６がオンである期間は、受信回路１１に電源１７からの電源供給がなされ、受信回路１１は起動し信号を受信する。電源スイッチ１６がオフである期間は、受信回路１１に電源１７からの電源供給がなされず、受信回路１１は起動せずに、信号を受信しない。尚、ここでは、電源スイッチ１６でオン／オフする電源の供給先は受信回路１１全体として説明したが、電源の供給先として受信回路１１の一部とすることができる（例えば、ＥＷＳ信号の受信に不可欠なコンポーネント部分、又は電力消費の大きいコンポーネント部分のみとできる。）。
【００３５】
これにより、制御回路１５から出力される制御信号に基づき受信回路１１を駆動する電源１７からの電源供給を制御することができ、ＥＷＳ信号を低消費電力で監視するとともに、ＥＷＳ信号検出時間の短縮化を図ることができるようになる。
【００３６】
次に、実施例１において、ＥＷＳ信号を所望のＴＭＣＣ情報とし、制御回路１５から電源スイッチ１６に出力される間欠受信制御信号のタイミング例（シンボル間引き受信モードと称する。）を説明する。
【００３７】
制御回路１５に入力されたフレーム同期信号によってフレームの先頭シンボルを検知し、先頭シンボルから所望シンボルまでの所定のシンボル数分（その所定のシンボル数は、電波産業界の規格で規定されているＴＭＣＣ情報の割り当てから既知である。）を、制御回路１５に入力されたシンボル同期信号のパルスによって制御回路１５でカウントすることができるようになり、フレーム内における所望のシンボルのタイミングを検知することができる。
【００３８】
次に、制御回路１５は、検知したそのタイミング付近で、受信回路１１（又は、受信回路１１の一部）を起動させるための電源１７を供給するために、電源スイッチ１６に対する間欠受信制御信号を出力する。
【００３９】
これにより、２０４シンボルで構成される１フレーム期間のうち、好適にＢ２６の１シンボルのみを受信することが可能となり、従来のＴＭＣＣ信号受信装置よりも受信回路の消費電力を大幅に低減させることができる。
【００４０】
尚、所望のＴＭＣＣ情報が３ビットであれば、１フレームあたり３シンボルを受信する間欠受信となる。
【００４１】
また、図５に示す例は、数フレームに１回、２７シンボル期間受信する様子を示すものであるが、これは、ＴＭＣＣ信号受信装置１の内部でクロック信号を発生させている発振器（図示せず）の周波数ドリフトに起因するフレーム同期タイミングのずれを補正する処理のためである。即ち、フレーム毎にＴＭＣＣの同期信号を受信するのではなく、数フレーム毎に受信することで、受信期間（即ち、受信回路１１における起動時間）を最小限に抑えることができる。
【００４２】
次に、本発明による実施例２のＴＭＣＣ信号受信装置を説明する。
【００４３】
（実施例２）
実施例１と同様に、ＴＭＣＣ情報のＢ２６に割り当てられている緊急警報放送用起動フラグ（ＥＷＳ信号）が伝送されるシンボル部分を所望のシンボルとして説明する。ＥＷＳ信号は、通常「０」であるが、大規模地震の警戒宣言や津波警報等が発令した際に、緊急警報放送が開始されるとともに「１」に変化し、放送継続中は常に「１」である。
【００４４】
図６に、本発明による実施例２のＴＭＣＣ信号受信装置のブロック図を示す。実施例１と同様な構成要素には、同一の参照番号を付している。実施例２のＴＭＣＣ信号受信装置２は、実施例１と同様に、ＩＳＤＢ−Ｔ方式の地上ディジタルテレビジョン放送信号に含まれるＴＭＣＣ信号を受信し、ＴＭＣＣ信号に含まれるＴＭＣＣ情報を復調し、出力する装置である。ＴＭＣＣ信号受信装置２は、受信アンテナ１０、受信回路１１、ＴＭＣＣ復調回路１２、シンボル同期再生回路１３、フレーム同期再生回路１４、制御回路１５、電源スイッチ１６及び電源１７を備える。
【００４５】
実施例２のＴＭＣＣ信号受信装置２は、実施例１のＴＭＣＣ信号受信装置１と比較して、制御回路１５の内部構成が、２つの受信モードで切り替え可能に構成されている点で相違する。
【００４６】
従って、ＴＭＣＣ信号受信装置２において、受信アンテナ１０、受信回路１１、ＴＭＣＣ復調回路１２、シンボル同期再生回路１３、フレーム同期再生回路１４、電源スイッチ１６及び電源１７の各々の動作は実施例１と同様であり、詳細な説明は省略する。
【００４７】
実施例２の制御回路１５は、同期判定回路２０、連続受信モード制御信号生成回路２１、シンボル間引き受信モード制御信号生成回路２２及び受信モード切替スイッチ２３を有する。
【００４８】
同期判定回路２０は、シンボル同期再生回路１３及びフレーム同期再生回路１４からそれぞれ供給されたシンボル同期信号及びフレーム同期信号から、受信回路１１を経て受信した受信信号の同期状態を判定し、その判定結果に基づいて受信回路１１の受信モードを選択するための受信モード選択信号を出力する。また、同期判定回路２０は、その判定結果に基づいて同期外れを検出するように機能し、同期外れを検出した場合には、同期を確立するまで第１の受信モードを選択するための受信モード選択信号を出力し、同期を確立した後、第２の受信モードを選択するための受信モード選択信号を出力する。
【００４９】
受信信号の同期状態の判定には、入力されたシンボル同期信号はフレーム同期信号の入力の有無を監視することにより行う。即ち、各同期信号のパルス信号を検出しないときは、同期外れと判定する。
【００５０】
連続受信モード制御信号生成回路２１は、第１の受信モードとして受信回路１１を連続的に動作させるための制御信号を出力する。具体的には、連続受信モード制御信号生成回路２１は、電源１７から連続的に受信回路１１に電源供給し、放送波を連続受信するための制御信号を生成して出力する。
【００５１】
シンボル間引き受信モード制御信号生成回路２２は、シンボル同期再生回路１３及びフレーム同期再生回路１４からそれぞれ供給されたシンボル同期信号及びフレーム同期信号から、第２の受信モードとして受信回路１１をシンボル単位で間欠的に動作させるための制御信号を出力する。具体的には、シンボル間引き受信モード制御信号生成回路２２は、受信回路１１に供給する電源１７からの電源供給を間欠的にオン／オフ制御し、放送波を間欠受信するための制御信号を生成して出力する。
【００５２】
受信モード切替スイッチ２３は、同期判定回路２０から出力される受信モード選択信号によって、連続受信モード制御信号生成回路２１からの制御信号又はシンボル間引き受信モード制御信号生成回路２２からの制御信号のいずれか一方を選択し、選択した制御信号を電源スイッチ１６に対する間欠受信制御信号として出力する。
【００５３】
以下、実施例２のＴＭＣＣ信号受信装置の動作を詳細に説明する。
【００５４】
制御回路１５には、実施例１と同様に、シンボル同期再生回路１３及びフレーム同期再生回路１４からそれぞれ供給されたシンボル同期信号及びフレーム同期信号が入力される。実施例２では、シンボル同期信号及びフレーム同期信号の双方は、同期判定回路２０及びシンボル間引き受信モード制御信号生成回路２２に供給される。
【００５５】
同期判定回路２０により、入力されるシンボル同期信号及びフレーム同期信号に基づいて受信状況を判定し、受信状況の判定に応じて受信回路選択モード選択信号を受信モード切替スイッチ２３に出力する。
【００５６】
ここで、受信状況の判定による受信動作について説明する。図７に、連続受信モード制御信号生成回路２１からの制御信号及びシンボル間引き受信モード制御信号生成回路２２からの制御信号の一例を示す。図７では、ＥＷＳ信号の１シンボル期間のみ受信するシンボル間引き受信モード、及び全シンボルを受信する連続受信モードの制御信号の例を示している。尚、図７に示すシンボル間引き受信モードは、実施例１で説明した図５と同様と考えてよい。
【００５７】
通常、移動・携帯受信環境下では、受信レベル変動、ドップラー効果による周波数シフト、マルチパスの影響などによりフレーム同期外れやシンボル同期外れが発生しうる。そこで、同期判定回路２０は、シンボル同期信号及びフレーム同期信号の双方又はいずれか一方に同期外れが発生したか否かを、前記同期信号の入力の有無（即ち、同期のためのパルス信号の有無）で判定することができる。
【００５８】
まず、同期判定回路２０は、シンボル同期信号及びフレーム同期信号の双方に同期外れが発生していないと判定する場合、シンボル間引き受信モード制御信号生成回路２２が出力する信号を選択するように受信モード切替スイッチ２３を制御する。
【００５９】
次に、同期判定回路２０は、シンボル同期信号及びフレーム同期信号の双方又はいずれか一方に同期外れが発生したと判定する場合、連続的に放送波を受信して再び同期を確立するために、連続受信モード制御信号生成回路２１が出力する信号を選択するように受信モード切替スイッチ２３を制御する。
【００６０】
次に、同期判定回路２０により、連続受信モード（第１の受信モード）でフレーム及びシンボルの同期を確立させた後、再びシンボル間引き受信モード制御信号生成回路２２が出力する制御信号を選択するように受信モード切替スイッチ２３を切り替える。シンボル間引き受信モード制御信号生成回路２２が出力する制御信号を選択してシンボル間引き受信モード（第２の受信モード）で動作させることにより、低消費電力でＥＷＳ信号を待ち受ける状態に戻す。
【００６１】
この同期判定回路２０の動作を自動的に行うことで、ＴＭＣＣ信号受信装置２は、常に受信する放送波への同期を保持したままＥＷＳ信号を低消費電力で監視することができるようになる。
【００６２】
従って、同期判定回路２０によってシンボル同期信号又はフレーム同期信号のいずれか一方でも同期が外れた際に同期外れとして検出し、再同期するまで放送波を連続受信するように受信回路１１を制御して再同期させることにより、同期外れによる継続的な受信不可となる状況を回避することが可能となる。
【００６３】
上述の実施例については代表的な例として説明したが、本発明の趣旨及び範囲内で、多くの変形及び置換することができることは当業者に明らかである。例えば、ＴＭＣＣ信号受信装置は、他の信号受信装置と組み合わせることができ、地上ディジタルテレビジョン放送受信機にそのようなＴＭＣＣ信号受信装置を設けることができる。また、ＩＳＤＢ−Ｔ方式に準ずる如何なる方式にも本発明の要素を適用可能である。従って、本発明は、上述の実施例によって制限するものと解するべきではなく、特許請求の範囲によってのみ制限される。
【産業上の利用可能性】
【００６４】
本発明によるＴＭＣＣ信号受信装置は、緊急警報放送用の信号を低消費電力で監視することができ、緊急警報放送用の信号を用いる伝送システムにおける受信装置に有用である。
【図面の簡単な説明】
【００６５】
【図１】ＴＭＣＣ信号におけるビット割り当て及び伝送するＴＭＣＣ情報の内容を示す図である。
【図２】フレーム内間欠受信処理のタイミング例を示す図である。
【図３】フレーム内間欠受信処理及びフレーム間間欠受信処理を併用した間欠受信のタイミング例である。
【図４】本発明による実施例１のＴＭＣＣ信号受信装置を示す図である。
【図５】ＥＷＳ信号を所望のＴＭＣＣ情報としたシンボル間引きモードにおける間欠受信制御信号のタイミング例を示す図である。
【図６】本発明による実施例２のＴＭＣＣ信号受信装置を示す図である。
【図７】ＥＷＳ信号を所望のＴＭＣＣ情報としたシンボル間引きモード及び連続受信モードの切り替えにおける間欠受信制御信号のタイミング例を示す図である。
【符号の説明】
【００６６】
１，２  ＴＭＣＣ信号受信装置
１０  受信アンテナ
１１  受信回路
１２  ＴＭＣＣ復調回路
１３  シンボル同期再生回路
１４  フレーム同期再生回路
１５  制御回路
１６  電源スイッチ
１７  電源
２０  同期判定回路
２１  連続受信モード制御信号生成回路
２２  シンボル間引き受信モード制御信号生成回路
２３  受信モード切替スイッチ
【図１】
0004997071.tif 000002
【図２】
0004997071.tif 000003
【図３】
0004997071.tif 000004
【図４】
0004997071.tif 000005
【図５】
0004997071.tif 000006
【図６】
0004997071.tif 000007
【図７】
0004997071.tif 000008